(57)【要約】【課題】強固かつ安定的に構成することができ、しかも什器としての体裁を良好に収めることができる。【解決手段】互いに左右に離間して床面上から上方に向かって立設された複数の支柱１０と、支柱１０に対して設けられ、支柱１０の前面１０ａから前方に延びる上材を有し、下端が床面に接床する支持脚体と、支持脚体間に架設され、支持部に支持される天板と、隣り合う支柱１０、１０間に架設され、支柱１０、１０間の空間を閉塞する塞ぎパネル３０と、を備え、支柱１０の前面１０ａの下方位置には、支持脚体における後端の取付面が当接された状態で固定され、支柱１０の前面１０ａにおける支持脚体より上方位置の少なくとも一部が塞ぎパネル３０によって閉塞された構成の什器を提供する。【選択図】図７
2019083921.tif 000002
【特許請求の範囲】
【請求項１】
互いに左右に離間して床面上から上方に向かって立設された複数の支柱と、
前記支柱に対して設けられ、前記支柱の前方に延びる支持部と、
前記支柱の前面から前方に延びて設けられ、下端が床面に接床する支持脚体と、
前記支持部間に架設される架設部材と、
隣り合う前記支柱間に架設され、前記支柱間の空間を閉塞する塞ぎパネルと、
を備え、
前記支柱の前面の下方位置には、前記支持脚体が前記支持脚体における後端の取付面が当接された状態で固定され、
前記支柱の前面における前記支持脚体より上方位置の少なくとも一部が前記塞ぎパネルによって閉塞されていることを特徴とする什器。
【請求項２】
前記支柱の前面には、上下方向に所定間隔をあけて複数の係止孔が設けられ、
前記係止孔に係止可能な係止部を有するオプション部材が設けられ、
前記塞ぎパネルは、前記支柱の前面のうち前記係止孔を除く部分を閉塞するように配設されていることを特徴とする請求項１に記載の什器。
【請求項３】
前記支柱の前面は、前記係止孔を挟んだ左右両側の領域が前記塞ぎパネルによって閉塞されていることを特徴とする請求項２に記載の什器。
【請求項４】
前記支持部は、前記支持脚体の一部として一体的に形成されていることを特徴とする請求項１乃至３のいずれか１項に記載の什器。
【請求項５】
前記支柱の前方には、前記架設部材として、平面が上方を向くように配設された平板状の天板が設けられ、
前記天板は、前記支持脚体の前後方向に延びる前記支持部によって下方から支持されていることを特徴とする請求項１乃至４のいずれか１項に記載の什器。
【請求項６】
前記塞ぎパネルは、前記支柱の前面に位置するパネル本体と、前記パネル本体の後側に配置され隣り合う前記支柱のそれぞれの対向する側面同士の間に位置する係止片と、を有することを特徴とする請求項１乃至５のいずれか１項に記載の什器。
【発明の詳細な説明】
【技術分野】
【０００１】
本発明は、什器に関する。
【背景技術】
【０００２】
従来、オフィスや公共施設等の執務空間においては、執務者に執務を効率的に行うための場所を提供するため、天板が設けられた什器（天板付什器）が設置されているのが一般的となっている。こうした天板付什器の構造として、例えば特許文献１、２に示されるように、床面から上方に向かって立設された仕切りパネルと、仕切りパネルの前方に配設された天板と、仕切りパネルにおける天板よりも上方位置に配設された棚板と、によって構成されたものが知られている。
【０００３】
このような構成の什器を採用することで、仕切りパネルによって什器の前後で空間を区画して執務者に執務に集中しやすい環境を提供できる。さらに、仕切りパネルに棚板を設置することによって執務に使用する物品を執務作業スペースである天板近くに設けることができ、執務作業を効率的に行うことが可能な空間を提供することができる。
【先行技術文献】
【特許文献】
【０００４】
【特許文献１】特許第４４７２０５５号公報
【特許文献２】特許第４１７７５２０号公報
【発明の概要】
【発明が解決しようとする課題】
【０００５】
しかしながら、従来の什器では、以下のような問題があった。
すなわち、特許文献１、２に記載される構造の什器では、棚板と天板とが仕切りパネルによって支持される構造となるため、仕切りパネルを支持するために支持構造を強固に構成することが求められている。とくに什器を用いて作業をしている人を立っている人の目線から遮蔽する等の目的で、執務空間内における高い位置まで区画したい場合においては、仕切りパネルの高さ寸法を高く設定する必要があるため、支持構造をより強固かつ安定的に構成する必要があった。
一方で日々の執務を行うための空間は什器としての体裁が良好である必要もあることから、強固かつ安定的な構造と、体裁が良い什器であることとがバランスよく達成できることが求められており、その点で改善の余地があった。
【０００６】
本発明は、上述する問題点に鑑みてなされたもので、強固かつ安定的に構成することができ、しかも什器としての体裁を良好に収めることができる什器を提供することを目的とする。
【課題を解決するための手段】
【０００７】
上記目的を達成するため、本発明に係る什器は、互いに左右に離間して床面上から上方に向かって立設された複数の支柱と、前記支柱に対して設けられ、前記支柱の前方に延びる支持部と、前記支柱の前面から前方に延びて設けられ、下端が床面に接床する支持脚体と、前記支持部間に架設される架設部材と、隣り合う前記支柱間に架設され、前記支柱間の空間を閉塞する塞ぎパネルと、を備え、前記支柱の前面の下方位置には、前記支持脚体が前記支持脚体における後端の取付面が当接された状態で固定され、前記支柱の前面における前記支持脚体より上方位置の少なくとも一部が前記塞ぎパネルによって閉塞されていることを特徴としている。
【０００８】
本発明では、床面に接床され、支柱の前面側で前後方向に延びる支持部を有する支持脚体によって、支柱を強固かつ安定した姿勢で支持することができる。そのため、支柱間に架設される塞ぎパネルや、塞ぎパネルに棚板等が取り付けられる場合であっても、支持脚体によって強固に支持された支柱を安定した状態で維持できる。
また、支持脚体に前後方向に延びる支持部が設けられているので、この支持部に架設部材を載置させた状態で支持することが可能となり、例えば天板等の架設部材を塞ぎパネルに支持させる什器に比べて安定的に設けることができる。したがって、什器として強固かつ安定的に構成することができる。
【０００９】
さらに、本発明では、支柱の前面の下方位置において、支持脚体の取付面が当接された状態で固定され、支柱の前面における支持脚体より上方位置の少なくとも一部が塞ぎパネルによって閉塞されているので、支柱の前面が支持脚体および塞ぎパネルによって覆われた状態となる。そのため、例えば支柱の高さが高くなるような場合であっても、支柱が目立つことがなく、什器としての体裁を良好に収めることができる。
【００１０】
また、本発明に係る什器は、前記支柱の前面には、上下方向に所定間隔をあけて複数の係止孔が設けられ、前記係止孔に係止可能な係止部を有するオプション部材が設けられ、前記塞ぎパネルは、前記支柱の前面のうち前記係止孔を除く部分を閉塞するように配設されていることが好ましい。
【００１１】
この場合には、支持脚体によって強固かつ安定的に支持された支柱の係止孔にオプション部材の係止部を係止させることで、支柱にオプション部材を安定した状態で取り付けることが可能となり、什器としての利便性を高めることができる。
【００１２】
また、本発明に係る什器は、前記支柱の前面は、前記係止孔を挟んだ左右両側の領域が前記塞ぎパネルによって閉塞されていることを特徴としてもよい。
【００１３】
この場合には、支柱の前面における係止孔が上下方向に配置される部分を除いたすべての領域を覆うように塞ぎパネルが配置されているので、什器としての体裁をより良好に収めることができる。
【００１４】
また、本発明に係る什器は、前記支持部は、前記支持脚体の一部として一体的に形成されていることを特徴としてもよい。
【００１５】
この場合には、支持部が支持脚体の一部であって別体で設けられていないので、剛性の高い構造となり、支持脚体によって支柱をより強固に支持することができる。
【００１６】
また、本発明に係る什器は、前記支柱の前方には、前記架設部材として、平面が上方を向くように配設された平板状の天板が設けられ、前記天板は、前記支持脚体の前後方向に延びる前記支持部によって下方から支持されていることを特徴としてもよい。
【００１７】
この場合には、支持脚体の支持部に天板を載置させた状態で支持することが可能となり、天板を塞ぎパネルに支持させる什器に比べて安定的に設けることができる。したがって、什器として強固かつ安定的に構成することができる。
【００１８】
また、本発明に係る什器は、前記塞ぎパネルは、前記支柱の前面に位置するパネル本体と、前記パネル本体の後側に配置され隣り合う前記支柱のそれぞれの対向する側面同士の間に位置する係止片と、を有することを特徴としてもよい。
【００１９】
この場合には、パネル本体の後側の係止片を使用して支柱に対して確実に固定することができる。そして、係止片の手前側に位置するパネル本体によって支柱の前面の少なくとも一部を閉塞できる。つまり、支柱前面にパネル本体を固定する手段を設ける必要がないため、前方から見て支柱前面に固定手段が露呈することがない体裁の良い構造を実現することができる。
【発明の効果】
【００２０】
本発明の什器によれば、強固かつ安定的に構成することができ、しかも什器としての体裁を良好に収めることができる。
【図面の簡単な説明】
【００２１】
【図１】本発明の実施の形態による什器を斜め正面から見た斜視図である。
【図２】図１に示す什器を前方から見た正面図である。
【図３】図１に示す什器を上方から見た平面図である。
【図４】図２に示すＡ−Ａ線矢視図であって、エンド支持脚体によって支柱が支持された什器の側面図である。
【図５】図２に示すＢ−Ｂ線矢視図であって、中間支持脚体によって支柱が支持された什器の側面図である。
【図６】支柱の構成を示す図であって、（ａ）は前面を見た図、（ｂ）は側面を見た図、（ｃ）は後面を見た図である。
【図７】支柱に塞ぎパネルを取り付けた状態を示す斜視図である。
【図８】支柱に支持脚体と天板を取り付ける状態で一部分解した斜視図である。
【図９】支柱に支持脚体と下部フレームを取り付けた要部を示す一部破断した上面図である。
【図１０】エンド支持脚体の側面図である。
【図１１】図１０に示すエンド支持脚体を前方から見た正面図である。
【図１２】図１０に示すエンド支持脚体を上方から見た平面図である。
【図１３】中間支持脚体の側面図である。
【図１４】図１３に示す中間支持脚体を前方から見た正面図である。
【図１５】図１３に示す中間支持脚体を上方から見た平面図である。
【図１６】物品収納什器を天板下の収容空間に収容する状態を示す斜視図である。
【図１７】下部フレームに下部化粧パネルを取り付ける状態を幅方向から見た要部拡大図である。
【図１８】塞ぎパネルを支柱に取り付ける状態を上方から見た要部拡大図である。
【発明を実施するための形態】
【００２２】
以下、本発明の実施形態による什器について、図面に基づいて説明する。
【００２３】
図１乃至図３に示す本実施形態による天板付什器１（什器）は、執務空間に設けられるデスク装置であって、複数のデスクを横方向に連続的に配置することを可能とした構成となっている。
【００２４】
天板付什器１は、互いに左右に離間して床面Ｆ上から上方に向かって立設された複数の支柱１０と、支柱１０に対して設けられ、支柱１０の前面１０ａから前方に延びる支持部（後述する上材２３、２３Ａ）を有し、下端が床面Ｆに接床する支持脚体２０と、左右に隣り合う支柱１０、１０間に架設され、支柱１０、１０間の空間を閉塞する塞ぎパネル３０と、支持脚体２０、２０間に架設され、前記支持部に支持される天板４０（架設部材）と、天板４０の下方の空間部内に後方の一部もしくは、全体を収容可能とされた物品収納什器５０と、を備えている。
ここで、支持脚体２０及び天板４０は、本発明の第一の什器に相当している。
【００２５】
また、天板４０よりも下方位置において、隣り合う支柱１０、１０間に架設する下部フレーム６０が設けられている。
さらに、天板４０上には、例えばデスクを複数の人で使用できるように所定の間隔で区画されている場合において、その区画毎にデスクトップパネル部材７０が設けられている。
さらにまた、塞ぎパネル３０の前面には、支柱１０における天板４０より上方の適宜な位置で収納棚８０（オプション部材）が取り付け可能となっている。
【００２６】
ここで、本実施の形態では、床面Ｆに対して平行な一方向に配置される一対の支柱１０、１０の離間方向を幅方向Ｄｈといい、上方から見た平面視で幅方向Ｄｈに直交する方向を前後方向Ｄｆという。なお、幅方向Ｄｈのことを左右方向ということもある。また、天板付什器１の前後方向Ｄｆにおいて、天板付什器１に向かう不図示の椅子側を前方、前側といい、その反対側（椅子から見て天板付什器１側）を後方、後側という。
【００２７】
支柱１０は、図６（ａ）〜（ｃ）、図７、図８、及び図９に示すように、上下方向Ｄｖに延びる四角形筒状に形成されている。支柱１０の前面１０ａ及び後面１０ｂには、上下方向Ｄｖに所定の間隔をあけて複数の係止孔１１、１１、…が設けられている。これら係止孔１１は、幅方向Ｄｈの中央に縦長のスリット状に穿設されている。係止孔１１には、図１に示す支持脚体２０や収納棚８０のそれぞれの係止部（後述する係止フック）を係止させることによって支持脚体２０や収納棚８０が取付け可能となっている。
【００２８】
支柱１０の左右の両側面１０ｃには、上下方向Ｄｖの所定箇所に雌ねじ孔１２が設けられている。雌ねじ孔１２には、塞ぎパネル３０を取り付けるためのパネル取付材３１（後述）を装着するためのねじが螺合されことで、パネル取付材３１が取付け可能となっている。
また、図６（ａ）〜（ｃ）に示すように、支柱１０の両側面１０ｃの下部及び上部には、側面１０ｃにおける前面１０ａ側と後面１０ｂ側で互いに対向するように一対の縦長のスリット孔１３が形成されている。これら一対のスリット孔１３、１３には、図２に示す下部フレーム６０の係止部（係止フック６４）を係止させることによって下部フレーム６０が取付け可能となっている。支柱１０の上部側の一対のスリット孔１３、１３には、図２に示すように、隣同士の支柱１０、１０の上部間を連結する上部連結部材１５の長さ方向の端部に設けられた係止爪が係止させることで、支柱１０、１０間に上部連結部材１５が架設される。これにより天板付什器１の上部の剛性が高められている。
【００２９】
支柱１０の下面には、図４、図５、及び図６（ａ）〜（ｃ）に示すように、支柱１０の高さ及びレベルの調整を行うためのアジャスター１４が設けられている。
【００３０】
支持脚体２０は、図１に示すように、幅方向Ｄｈの両端に配置されるエンド支持脚体２０Ａと、複数の天板付什器１、１、…を幅方向Ｄｈに組み合わせた場合でエンド支持脚体２０Ａ、２０Ａ間に配置される中間支持脚体２０Ｂと、の二種類が採用されている。いずれの支持脚体２０Ａ、２０Ｂも、床面Ｆに設置されるとともに、支柱１０の前面１０ａに対して脚体取付ブラケット２０Ｃ（図８参照）を用いて取付け可能に設けられている。
【００３１】
図１０〜図１２に示すように、エンド支持脚体２０Ａは、前縦材２１、後縦材２２、上材２３（支持部）及び下材２４によって四角形状に枠組みされている。前縦材２１及び後縦材２２は、上下方向Ｄｖに延びる四角形筒状に形成されている。前縦材２１、後縦材２２、上材２３、及び下材２４の幅方向Ｄｈの寸法は、支柱１０の前面１０ａにおける幅寸法の略半分の寸法に設定されている。
【００３２】
後縦材２２の後面２２ａにおける幅方向Ｄｈの一端側には、上下方向Ｄｖに所定の間隔をあけて複数の上向きの係止フック２２１が設けられている。本実施形態では、図１０に示すように、後縦材２２の後面２２ａ（取付面）において、上方部分、中間部分、下方部分でそれぞれ３つの係止フック２２１が設けられている。各係止フック２２１は、それぞれ上述した支柱１０の前面１０ａに形成される係止孔１１に進入した状態で上向きに係止される。
【００３３】
下材２４は、幅方向Ｄｈに延びる四角形筒状に形成されている。下材２４の下面には、エンド支持脚体２０Ａの高さ及びレベルの調整を行うためのアジャスター２４１が設けられている。アジャスター２４１は、ねじ部が下材２４の下面に対して螺合されている。
【００３４】
上材２３は、前後方向Ｄｆに延び上側が開口するコの字状に形成されている。上材２３の後端は、後縦材２２の上端に載置された状態で固定されている。図８に示すように、上材２３の後端部分は、両側板２３１、２３１が切り取られた形状となっている。一方の側板２３１には、前後方向Ｄｆの一部の上端から幅方向Ｄｈの外側に向けて延びる突出板２３３が設けられている。この突出板２３３には、天板４０が載置される。上材２３の底板２３２には、後縦材２２に載置される部分より前側の位置に、脚体取付ブラケット２０Ｃを取り付けるためのボルト用のボルト穴２３ａが形成されている。
【００３５】
脚体取付ブラケット２０Ｃは、図８に示すように、前後方向Ｄｆに延びるとともに、縦リブ２０１と横リブ２０２とによってＬ字状に形成されている。縦リブ２０１の後端には、上下に間隔をあけて一対の下向きの係止フック２０３が設けられている。各係止フック２０３は、それぞれ上述した支柱１０の前面１０ａに形成される係止孔１１に進入した状態で下向きに係止される。横リブ２０２には、この横リブ２０２をエンド支持脚体２０Ａの上材２３の底板２３２上に載置させ、係止フック２０３を支柱１０の係止孔１１に係止させた状態で、上材２３のボルト穴２３ａに同軸上に対応する位置に溶接ナット２３４が形成されている。
【００３６】
エンド支持脚体２０Ａを支柱１０に取り付ける際には、エンド支持脚体２０Ａの後縦材２２の係止フック２２１を支柱１０の係止孔１１に係止させた後、脚体取付ブラケット２０Ｃをエンド支持脚体２０Ａ上に載置させて係止フック２０３を支柱１０の係止孔１１に係止させる。そして、この状態でエンド支持脚体２０Ａの上材２３のボルト穴２３ａと脚体取付ブラケット２０Ｃの前記溶接ナット２３４に下方からボルト（図示省略）を挿通させて締め込むことで双方を固定する。これにより、エンド支持脚体２０Ａが支柱１０に対して固定される。
【００３７】
なお、エンド支持脚体２０Ａの場合には、図９に示すように、支柱１０の前面１０ａのうち幅方向Ｄｈで略半分の領域のみがエンド支持脚体２０Ａの後縦材２２によって覆われた状態となる。そのため、支柱１０の前面１０ａの後縦材２２によって覆われていない領域を含む側には、断面コの字状のエンドキャップ１０１が外側から装着されている。支柱１０の前面１０ａのうち後縦材２２で閉塞されていない領域は、エンドキャップ１０１の折返し部分１０１ａで覆われて閉塞された状態となっている。
【００３８】
縦リブ２０１の上端における後端側の位置には、幅方向Ｄｈの外側に向けて延びる突片２０４が設けられている。この突片２０４には、前後方向Ｄｆに延びる長穴２０４ａが形成されている。この長穴２０４ａには、天板４０の補助部材として設けられる天板塞ぎ材４１の係止片４１１（後述する）が上方から差し込まれることで、天板塞ぎ材４１が取付け可能となっている。
【００３９】
次に、中間支持脚体２０Ｂは、図１３〜図１５に示すように、中間縦材２５、後縦材２２Ａ、上材２３Ａ（支持部）、及び下材２４Ａによって組み合わされている。すなわち、上述したエンド支持脚体２０Ａの前縦材２１が省略された代わりに中間縦材２５が上材２３Ａの後方寄りの位置に配置されている。後縦材２２Ａ、上材２３Ａ、及び下材２４Ａは、エンド支持脚体２０Ａの構成とほぼ同様であり、それぞれの幅寸法がエンド支持脚体２０Ａの幅寸法より大きく設定されている。
【００４０】
上材２３Ａは、後縦材２２Ａに接続される後方部分を除いて前後方向Ｄｆに延びる四角形筒状に形成されている。上材２３Ａの上面２３ｂには、天板４０の幅方向Ｄｈの端部が載置される。
下材２４Ａは、後縦材２２Ａから前方に延びる長さがエンド支持脚体２０Ａの下材２４の略半分程度の長さに設定されている。
【００４１】
中間支持脚体２０Ｂもエンド支持脚体２０Ａと同様に、後縦材２２Ａの係止フック２２１を支柱１０の前面１０ａの係止孔１１に係止させた状態で、脚体取付ブラケット２０Ｃを使用して支柱１０の前面１０ａに取付け可能となっている（図８参照）。ここで、中間支持脚体２０Ｂが取付けられる支柱１０は、幅方向Ｄｈで両端にない中間部に配置される支柱１０が取付けの対象となる。
【００４２】
下部フレーム６０は、図２に示すように、上下方向Ｄｖに延びる一対の縦材６１、６１と、幅方向Ｄｈに延びる上材６２及び下材６３と、によって四角形状に枠組みされている。これら縦材６１、上材６２、下材６３は、それぞれ四角形筒状に形成されている。下部フレーム６０は、床面Ｆから上方に間隔をあけた高さで隣り合う支柱１０、１０間に取付けられ、上材６２の上面の高さは、支持脚体２０（エンド支持脚体２０Ａ、中間支持脚体２０Ｂ）の上端の高さと一致している。
【００４３】
図９に示すように、縦材６１の幅方向Ｄｈの外側に面する外面６１ａにおける下部には、下向きの係止フック６４が設けられている。係止フック６４は、それぞれ上述した支柱１０の側面１０ｃに形成されるスリット孔１３に進入した状態で下向きに係止される。係止フック６４が前記スリット孔１３に係止した状態で、下部フレーム６０が支柱１０に取付けられた状態となる。
【００４４】
下部フレーム６０の前面側には、図１に示すように、下部フレーム６０の全体を覆うように下部化粧パネル６５が設けられている。下部化粧パネル６５は、前方から見て四角形状をなし、図１７に示すように、外周縁から後方に向けて突出する係止片６５ａが設けられ、係止片６５ａを縦材６１、上材６２、下材６３に係止させた状態で、前側からビス６５ｂによって縦材６１、上材６２、下材６３の前面にそれぞれ固定されている。これにより、天板付什器１の天板４０より下方の後側が下部化粧パネル６５によって塞がれた状態となる。
【００４５】
塞ぎパネル３０は、図１、図２、図７、及び図１８に示すように、隣り合う支柱１０、１０間に配設され、下部フレーム６０よりも上方の支柱１０に対してパネル取付材３１を用いて取付け可能となっている。
塞ぎパネル３０は、前方から見て四角形状をなすパネル本体３２と、パネル本体３２の上縁と下縁から後方に向けて突出し、それぞれの突出端から上下方向Ｄｖで互いに近接するように内向きに折り曲げられた鉤状の係止片３３と、を有している。係止片３３の幅方向Ｄｈの長さ寸法は、支柱１０、１０間の離間寸法ほぼ同等とされる。パネル取付材３１の前方側には、予め段付きビス３４を取り付けられている。そして、係止片３３に設けたダルマ孔の拡径部からパネル取付材３１の段付きビス３４の頭を挿通し、ダルマ孔の幅狭部に段付きビス３４の小径段部を位置させることによって、パネル本体３２をパネル取付材３１に係止して取り付ける構成となっている。これにより塞ぎパネル３０がパネル取付材３１を介して支柱１０に取付け可能となっている。
【００４６】
パネル本体３２の幅寸法は、支柱１０に取り付けられた状態において、幅方向Ｄｈの側端部３２ｃが支柱１０の前面１０ａの少なくとも一部を閉塞するように配設されている。本実施形態では、パネル本体３２の側端部３２ｃが係止孔１１に重ならない位置まで支柱１０の前面１０ａに張り出した寸法に設定されている。つまり、支柱１０の前面１０ａには、係止孔１１を挟んだ左右両側の領域がそれぞれ支柱１０を挟んで幅方向Ｄｈに隣り合う塞ぎパネル３０、３０によって閉塞されている。
【００４７】
パネル取付材３１は、図１８に示すように、上下方向Ｄｖに延びるとともに、ウェブ３１１と一対のフランジ３１２とによってコの字状に形成されている。ウェブ３１１は、支柱１０の側面１０ｃに当接されて第２固定ビス（図示省略）によって支柱１０に固定される。前側のフランジ３１２には、前方から塞ぎパネル３０の係止片３３が当接させた状態で、双方が重なった部分で段付きビス３４によって固定されている。
これにより、天板付什器１の天板４０より上方の後側が塞ぎパネル３０によって塞がれた状態となる。
なお、本実施形態における塞ぎパネル３０は、天板４０の上方部分の支柱１０、１０間の前面を塞ぐものであり、本実施形態のように上下方向Ｄｖに複数に分割されていてもよいし、１枚ものであってもよい。
【００４８】
収納棚８０（オプション部材）は、図１〜図５に示すように、支柱１０の前面１０ａの係止孔１１に係止され前方に向けて突出する棚支持板８１と、棚支持板８１の下端に連結され幅方向Ｄｈに延びる棚本体８２と、を備えている。
棚支持板８１の後面には、上下方向Ｄｖに所定の間隔をあけて複数の係止フック（図示省略）が設けられている。各係止フックが支柱１０の係止孔１１に進入した状態で係止されることで、棚支持板８１が支柱１０に取付け可能となっている。
【００４９】
天板４０は、支柱１０の前方に配置され、平面が上方を向くように配設された平板状をなし、隣り合う支持脚体２０、２０間を架設し、支持脚体２０の上端に載置した状態で下方から図示しないボルト等により固定されている。つまり、支持脚体２０によって天板４０の下方空間が仕切られるので、１つの天板４０毎に一人の執務スペースとすることができる。また、天板４０の幅方向Ｄｈの寸法を大きくし、１つの天板４０を複数人で使用する執務スペースとしてもよい。
【００５０】
天板４０は、図８に示すように、後端側で塞ぎパネル３０との間に間隔をあけて配置され、その開口部Ｓ１には幅方向Ｄｈに延びる天板塞ぎ材４１が設けられている。この天板塞ぎ材４１によって閉塞される開口部Ｓ１は、例えばＯＡ機器等の配線（図示省略）の取り出し口として利用が可能である。
【００５１】
物品収納什器５０は、図１６に示すように、天板４０の下面４０ａに固定された側部パネル５１、５１と、側部パネル５１、５１に前後方向Ｄｆに移動可能に支持された収納構造体５２と、を備えている。
【００５２】
側部パネル５１、５１は、図１及び図１６に示すように、中間支持脚体２０Ｂの幅方向Ｄｈの両側に互いに間隔をあけて設けられている。すなわち、幅方向Ｄｈに間隔をあけて配置される一対の側部パネル５１、５１によって挟まれた空間に収納構造体５２が配置されている。一対の側部パネル５１、５１同士の間隔は、収納構造体５２の幅寸法とほぼ一致している。つまり、収納構造体５２は、一対の側部パネル５１、５１間に配置された状態で幅方向Ｄｈへの転倒が防止されることになる。
【００５３】
図１、図１６に示すように、デスクトップパネル部材７０は、天板４０の上面４０ｂに固定される天板上収納７１と、天板上収納体７１によって支持され平面（側面７２ａ）を幅方向Ｄｈに向けて配設される平板状の仕切りパネル７２と、を備えている。
仕切りパネル７２は、隣り合う天板４０、４０同士の境界近傍を仕切るように、天板４０における前後方向Ｄｆのほぼ全体にわたって配置されている。
【００５４】
次に、上述した天板付什器１の作用について、図面に基づいて詳細に説明する。
本実施の形態では、図１乃至図３に示すように、床面Ｆに接床され、支柱１０の前面１０ａ側で前後方向Ｄｆに延びる上材２３、２３Ａ（図４及び図５）を有する支持脚体２０によって、支柱１０を強固かつ安定した姿勢で支持することができる。そのため、支柱１０、１０間に架設される塞ぎパネル３０や、本実施の形態のように塞ぎパネル３０に収納棚８０が取り付けられる場合であっても、支持脚部２０によって強固に支持された支柱１０を安定した状態で維持できる。
【００５５】
また、支持脚体２０に前後方向Ｄｆに延びる上材２３、２３Ａが設けられているので、本実施形態のように上材２３、２３Ａに天板４０を載置させた状態で支持することが可能となり、天板４０を支柱１０から片持ち状に前方に突出して設けた支持部に支持させる什器に比べて安定的に設けることができる。したがって、什器として強固かつ安定的に構成することができる。
【００５６】
さらに、本実施の形態では、支柱１０の前面１０ａの下方位置において、支持脚体２０の後面２２ａが当接された状態で固定され、支柱１０の前面１０ａにおける支持脚体２０より上方位置の少なくとも一部が塞ぎパネル３０によって閉塞されているので、支柱１０の前面１０ａが支持脚体２０および塞ぎパネル３０によって覆われた状態となる。そのため、例えば支柱１０の高さが高くなるような場合であっても、支柱１０が目立つことがなく、什器としての体裁を良好に収めることができる。
【００５７】
また、本実施の形態では、支持脚体２０によって強固かつ安定的に支持された支柱１０の係止孔１１に収納棚８０の係止部を係止させることで、支柱１０に収納棚８０を安定した状態で取り付けることが可能となり、什器としての利便性を高めることができる。
【００５８】
また、本実施の形態では、支柱１０の前面１０ａにおける係止孔１１が上下方向Ｄｖに配置される部分を除いたすべての領域を覆うように塞ぎパネル３０が配置されているので、什器としての体裁をより良好に収めることができる。
【００５９】
さらに、本実施の形態では、図７及び図１８に示すように、塞ぎパネル３０のパネル本体３２の後側の係止片３３を使用して支柱１０に対して確実に固定することができる。そして、係止片３３の手前側に位置するパネル本体３２によって支柱１０の前面１０ａの少なくとも一部を閉塞できる。つまり、支柱１０の前面１０ａにパネル本体３２を固定する手段を設ける必要がないため、前方から見て支柱１０の前面１０ａに固定手段が露呈することがない体裁の良い構造を実現することができる。
【００６０】
上述のように本実施の形態による什器１では、強固かつ安定的に構成することができ、しかも什器としての体裁を良好に収めることができる。
【００６１】
以上、本発明による什器の実施の形態について説明したが、本発明は上記の実施の形態に限定されるものではなく、その趣旨を逸脱しない範囲で適宜変更可能である。
【００６２】
例えば、本実施の形態では、支柱１０の前面１０ａに上下方向Ｄｖに所定間隔をあけて複数の係止孔１１が設けられ、これら係止孔１１に係止可能な係止部を有するオプション部材として収納棚８０を設ける構成としているが、係止孔１１に係止されるオプション部材としては収納棚８０であることに限定されることはなく、他の部材であってもよい。
【００６３】
また、本実施の形態では、支柱１０の前面１０ａのうち係止孔１１を除く部分を閉塞するように塞ぎパネル３０を配設させた構成としているが、このような配置であることに限定されることはない。要は、支柱１０の前面１０ａにおける支持脚体２０より上方位置の少なくとも一部が塞ぎパネル３０によって閉塞されていればよいのである。
【００６４】
さらに、本実施の形態では、天板４０を備えた天板付什器１を対象としているが、天板４０を備えない什器であってもよい。また、天板４０が支持脚部２０の上材２３（支持部）によって下方から支持される構成であることに限定されることはない。
【００６５】
また、物品収納什器５０、下部フレーム６０、デスクトップパネル部材７０、収納棚８０等の形状、寸法、数量等の構成については、本実施の形態に限定されることはなく、適宜設定することができる。
【００６６】
その他、本発明の趣旨を逸脱しない範囲で、上記した実施の形態における構成要素を周知の構成要素に置き換えることは適宜可能である。
【符号の説明】
【００６７】
１  天板付什器（什器）
１０  支柱
１０ａ  前面
１１  係止孔
１２  雌ねじ孔
１３  スリット孔
２０  支持脚体
２０Ａ  エンド支持脚体
２０Ｂ  中間支持脚体
２０Ｃ  脚体取付ブラケット
２２、２２Ａ  後縦材
２２ａ  後面（取付面）
２２１  係止フック（係止部）
２３、２３Ａ  上材（支持部）
２４、２４Ａ  下材
３０  塞ぎパネル
３１  パネル取付材
３２  パネル本体
３３  係止片
４０  天板（架設部材）
４１  天板塞ぎ材
５０  物品収納什器
５１  側部パネル
６０  下部フレーム
６５  下部化粧パネル
７０  デスクトップパネル部材
８０  収納棚
Ｄｈ  幅方向
Ｄｆ  前後方向
Ｄｖ  上下方向
Ｆ  床面  
【図１】
2019083921.tif 000003
【図２】
2019083921.tif 000004
【図３】
2019083921.tif 000005
【図４】
2019083921.tif 000006
【図５】
2019083921.tif 000007
【図６】
2019083921.tif 000008
【図７】
2019083921.tif 000009
【図８】
2019083921.tif 000010
【図９】
2019083921.tif 000011
【図１０】
2019083921.tif 000012
【図１１】
2019083921.tif 000013
【図１２】
2019083921.tif 000014
【図１３】
2019083921.tif 000015
【図１４】
2019083921.tif 000016
【図１５】
2019083921.tif 000017
【図１６】
2019083921.tif 000018
【図１７】
2019083921.tif 000019
【図１８】
2019083921.tif 000020